(57)【要約】【課題】地震時における天井への振動や変位を吸収し抑制して天井の崩壊落下を防止することのできる吸振つり天井に構成される不燃軽量粘弾性天井板部材を提供する。【解決手段】天井スラブに固定された吊りボルトに直接取り付けられた野縁レールと、該野縁レールに差し込み取り付けられる少なくとも軽量柔軟性を有する天井板部材とを有し、天井構成は中央部の固定範囲天井部分、及び、外周部の壁面と中央部の固定範囲天井部分との間に設けた吸振範囲天井部分から構成され、該軽量柔軟性を有する天井板部材は単一又は複数の部材により構成された不燃軽量粘弾性天井板と、該不燃軽量粘弾性天井板の周縁部に設けられた該野縁レールに嵌合する構成を有する天井板枠とからなる。【選択図】図１
2015200152.tif 000002
【特許請求の範囲】
【請求項１】
天井スラブに固定された吊りボルトに直接取り付けられた野縁レールと、
該野縁レールに差し込み取り付けられる少なくとも軽量柔軟性を有する天井板部材とを有し、
天井構成は中央部の固定範囲天井部分、及び、外周部の壁面と中央部の固定範囲天井部分との間に設けた吸振範囲天井部分から構成され、
該軽量柔軟性を有する天井板部材は、
単一又は複数の部材により構成された不燃軽量粘弾性天井板と、
該不燃軽量粘弾性天井板の周縁部に設けられた該野縁レールに嵌合する構成を有する天井板枠とからなることを特徴とする、
不燃軽量粘弾性天井板部材。
【請求項２】
該中央部の固定範囲天井部分における該不燃軽量粘弾性天井板の周縁部に設けられた該野縁レールに嵌合する構成を有する該天井板枠は、
方形或いは矩形の該不燃軽量粘弾性天井板の周縁部である四辺に設けられ、
その四辺のうち平行する２辺に、該野縁レールに嵌合する構成を有することを特徴とする、
請求項１記載の不燃軽量粘弾性天井板部材。
【請求項３】
該吸振範囲天井部分における該不燃軽量粘弾性天井板の周縁部に設けられた該野縁レールに嵌合する構成を有する該天井板枠は、
方形或いは矩形の該不燃軽量粘弾性天井板の周縁部である四辺に設けられ、
その四辺のうち１辺に、該野縁レールに嵌合する構成を有することを特徴とする、
請求項１記載の不燃軽量粘弾性天井板部材。
【請求項４】
該野縁レールに嵌合する構成は、
該不燃軽量粘弾性天井板の上方に構成されていることを特徴とする、
請求項１乃至３記載の不燃軽量粘弾性天井板部材。
【請求項５】
該野縁レールに嵌合する構成は、
該不燃軽量粘弾性天井板の上方に構成されてＴ字型の形状を有し、かかる部分が該野縁レールに嵌合することを特徴とする、
請求項４記載の不燃軽量粘弾性天井板部材。
【請求項６】
該不燃軽量粘弾性天井板は少なくとも柔軟性を有し、不燃性の材料であることを特徴とする、請求項１乃至５記載の不燃軽量粘弾性天井板部材。
【請求項７】
該不燃軽量粘弾性天井板は、粘弾性材質で作られていることを特徴とする、請求項１乃至６記載の不燃軽量粘弾性天井板部材。
【請求項８】
該天井材は、グラスウール、タキロン、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする、請求項１乃至７記載の不燃軽量粘弾性天井板部材。
【請求項９】
該不燃軽量粘弾性天井板部材に用いる天井材は、粘弾性部材と不燃シート及び／又は防水シート及び／又は不燃性防水シートにより構成されることを特徴とする、請求項１乃至８記載の不燃軽量粘弾性天井板部材。
【請求項１０】
該天井材は、粘弾性部材と不燃シート及び／又は防水シート及び／又は不燃性防水シートを接着剤により貼付することにより構成されることを特徴とする、請求項９記載の不燃軽量粘弾性天井板部材。
【請求項１１】
該不燃シート及び／又は防水シート及び／又は不燃性防水シートは少なくとも柔軟性を有する材料であることを特徴とする、請求項９又は１０記載の不燃軽量粘弾性天井板部材。
【請求項１２】
該不燃シート又は不燃性防水シートは、グラスウール、タキロン、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする、請求項９乃至１１記載の不燃軽量粘弾性天井板部材。
【請求項１３】
該天井板枠は、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、アルミ・ビニール及び薄肉のスチールを含む柔軟性を有する金属材料、金属を含む複合材料、のいずれかであることを特徴とする、請求項１乃至１２記載の不燃軽量粘弾性天井板部材。
【請求項１４】
該天井板枠は、粘弾性材質で作られていることを特徴とする、請求項１３記載の不燃軽量粘弾性天井板部材。
【請求項１５】
該天井板枠は、アルミ・ビニール及び薄肉のスチールを含む柔軟性を有する金属材料、及び金属を含む複合材料で作られていることを特徴とする、請求項１３又は１４記載の不燃軽量粘弾性天井板部材。
【請求項１６】
該天井板は、少なくとも下部の不燃シートと中央部の不燃天井材を接着剤により貼り付け、四方を天井板レール枠及び／又は天井板ジョイント枠を接着剤で固定し構成されたことを特徴とする、請求項１乃至１５記載の不燃軽量粘弾性天井板部材。
【請求項１７】
該不燃シートは、化粧不燃シートであることを特徴とする、請求項１６記載の不燃軽量粘弾性天井板部材。
【請求項１８】
該天井板は、下部の不燃シートと中央部の不燃天井材と上部の不燃防水シートを接着剤により貼り付け、四方を天井板レール枠と天井板ジョイント枠を接着剤で固定し構成されたことを特徴とする、請求項１乃至１５記載の不燃軽量粘弾性天井板部材。
【請求項１９】
該不燃シートは、化粧不燃シートであることを特徴とする、請求項１７記載の不燃軽量粘弾性天井板部材。
【請求項２０】
該下部の不燃シート及び／又は上部の不燃防水シートを接着剤により貼り付ける工程は該四方を天井板レール枠と天井板ジョイント枠を接着剤で固定する工程の前に行われ、該下部の不燃シート及び／又は上部の不燃防水シートの端部は該四方を天井板レール枠及び／又は天井板ジョイント枠に差し込まれていることを特徴とする、請求項１６乃至１９記載の不燃軽量粘弾性天井板部材。
【請求項２１】
該下部の不燃シート及び／又は上部の不燃防水シートを接着剤により貼り付ける工程は該四方を天井板レール枠と天井板ジョイント枠を接着剤で固定する工程の後に行われ、該下部の不燃シート及び／又は上部の不燃防水シートの端部は該四方を天井板レール枠及び／又は天井板ジョイント枠表面まで覆っていることを特徴とする、請求項１６乃至１９記載の不燃軽量粘弾性天井板部材。
【請求項２２】
該接着剤は、澱粉、酢酸ビニル、エチレン酢酸ビニル、水性エマルジョン樹脂、アクリルエマルジョン樹脂、変成シリコーン樹脂、シアノアクリレート樹脂、ウレタン樹脂、エポキシ樹脂、ゴム系溶剤形樹脂、のいずれかを用いたことを特徴とする、請求項１０或いは請求項１６乃至２１記載の不燃軽量粘弾性天井板部材。
【請求項２３】
該天井板は、該野縁レールに差し込み取り付けられ移動することが可能であることを特徴とする、請求項１乃至２２記載の不燃軽量粘弾性天井板部材。
【発明の詳細な説明】
【技術分野】
【０００１】
本発明は、地震時における天井の振動や変位を吸収して天井の崩壊落下を防止し、安全性を向上することのできる吸振つり天井に構成される、不燃軽量粘弾性天井板部材に関する。
【背景技術】
【０００２】
現在、建築物の天井仕上げ工事においては、特殊木造建築物等以外のほとんどの天井が「つり天井及び石膏ボード」仕上げ工事を主流としている。またその構成は、軽量スチール下地骨組に石膏ボードの組み合わせが主流となっている。この構成の天井はショッピングセンター・映画館・コンサートホール・体育館・公民館・消防署・警察署・工場・倉庫等と民間、公共に多く施工されている。
【０００３】
従来、「つり天井及び石膏ボード」は、天井部分の下地骨組の下端に重量のある石膏ボードをビス等で固定し、金属の棒でつり下げる建築手法で、ショッピングセンター・体育館等の日常大勢の人々が使用する建築物に施工されているが、構造としては非構造部材としての見解で、設計の段階で耐震性についての検討はほとんどされておらず、大地震の際は天井板や下地組等が崩壊して人的被害をもたらす危険性があると指摘されていた。
【０００４】
現実に、近年日本で２００５年８月１６日発生した宮城沖地震により、３１人が重軽傷を負った仙台市の屋内プールの天井が落下した事故以降、天井の耐震性に、大きな関心が寄せられ、また、２００７年３月２５日に発生した能登半島地震においても、避難所になるはずの体育館等で天井落下の被害が報告された。
【０００５】
そうした時期に発生した、東日本大震災では、地震とそれによる津波によって多大な被害を受け、天井落下による事故報告が数多く発表され、改めて天井の落下防止対策が必要不可欠となり、早急に対策案を発案し、解決しなければならない。
【０００６】
天井の崩壊防止策の対応施工要領には、国土交通省が２００１年に技術指針で作成した、第一に壁とつり天井の間に隙間を設け、横揺れでの損傷を防ぐ、第二につり天井の揺れを抑えるために下地骨組みを補強材でつなぐことなどを求めているが、法的強制力はなく、都道府県を通して周知を図っている段階である。
【０００７】
しかし、前記の崩壊防止の施工方法では、工事が大規模になり、経済的に負担が大きくなるため、各自治体の施設の対応が遅れているのが現状である。
【０００８】
民間施設においても、崩壊防止策の対応施工は深刻であり、サービス系建築物の天井は、デザイン考慮のシステム天井が多く容易に対応策は見つけきれずにいるのが現状である。
【０００９】
よって、崩壊防止策において最も必要な課題は、在来の「つり天井」に代わる新しい天井の構成を提案することであり、さらにかかる構成は施工の迅速且つ簡易性及び経済的に負担のかからない価格設定であることが望ましい。
【００１０】
また、天井構成の構築にあたっては、下地組の改良はもとより天井板に軽量柔軟性を持たせることにより危険性を低減することが文部科学省の天井落下防止対策の手引き及び日本建築学会のガイドラインでの大きな課題として問題視されている。本発明はこれらの解決を企図して為されたものである。
【先行技術文献】
【特許文献】
【００１１】
【特許文献１】特開２００６ー２０７４４４号公報
【発明の概要】
【発明が解決しようとする課題】
【００１２】
本発明が解決しようとする課題は、地震時に天井の崩壊落下を防止し、人的被害を起こさないつり天井を実現することである。そのためには、従来の「つり天井及び石膏ボード」の概念を捨て、今までとは異なるつり天井の開発が求められる。
【００１３】
そこで、本発明の目的は、地震時における天井の振動や変位を吸収して天井の崩壊落下を防止することが出来、いかなる場合にも人的被害を最小限に留めることが出来る吸振つり天井を提供することにあり、そのために、地震時における天井への振動や変位を吸収し抑制して天井の崩壊落下を防止することのできる吸振つり天井に構成される不燃軽量粘弾性天井板を提供することにある。
【課題を解決するための手段】
【００１４】
前記目的を達成するため、本発明にかかる吸振つり天井に構成される不燃軽量粘弾性天井板部材は、既設建築物または新設建築物に施工する「つり天井及び天井板」に係る構成であり、また仕上げ工法である。該吸振つり天井に構成される不燃軽量粘弾性天井板部材は、天井スラブに固定された吊りボルトに直接取り付けられた野縁レールと、前記野縁レールに差し込み取り付けられ、少なくとも柔軟性を有する材質で作られ、主に粘弾性の不燃天井材と不燃シートと四方に取付けられる天井板枠を有し、該吸振つり天井に構成される不燃軽量粘弾性天井板により地震時の振動や変位を吸収し抑制し、天井落下を阻止することを図ることを特徴とする。
【００１５】
また本発明においては、該中央部の固定範囲天井部分における該不燃軽量粘弾性天井板の周縁部に設けられた該野縁レールに嵌合する構成を有する該天井板枠は、方形或いは矩形の該不燃軽量粘弾性天井板の周縁部である四辺に設けられ、その四辺のうち平行する２辺に、該野縁レールに嵌合する構成を有することを特徴とする。
【００１６】
また本発明においては、該吸振範囲天井部分における該不燃軽量粘弾性天井板の周縁部に設けられた該野縁レールに嵌合する構成を有する該天井板枠は、方形或いは矩形の該不燃軽量粘弾性天井板の周縁部である四辺に設けられ、その四辺のうち１辺に、該野縁レールに嵌合する構成を有することを特徴とする。
【００１７】
また本発明においては、該野縁レールに嵌合する構成は、該不燃軽量粘弾性天井板の上方に構成されてＴ字型の形状を有し、かかる部分が該野縁レールに嵌合することを特徴とする。
【００１８】
また本発明においては、該不燃軽量粘弾性天井板は少なくとも柔軟性を有し、不燃性の材料であることを特徴とする。
【００１９】
本発明によれば、外周部の壁面と中央部の固定範囲天井部分との間に設けた吸振範囲天井部分の前記不燃軽量粘弾性天井板部材により、地震時の振動や変位を吸収し抑制を図らせることができる。
【００２０】
前記不燃軽量粘弾性天井板部材は、吊りボルトとナットによって直接強固に取り付けた野縁レールに、天井板に取付けられた天井板レール枠を差し込み取付けるため、地震時の振動や変位にも落下を防ぎ、主に粘弾性の天井板を用いることにより、地震時の天井の崩壊落下を防止し、人的被害を無くすことができる。
【００２１】
また本発明においては、該不燃軽量粘弾性天井板は、粘弾性材質で作られていることを特徴とする。
【００２２】
また本発明においては、該天井材は、グラスウール、タキロン、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする。
【００２３】
また本発明においては、該不燃軽量粘弾性天井板部材に用いる天井材は、粘弾性部材と不燃シート及び／又は防水シート及び／又は不燃性防水シートにより構成されることを特徴とする。
【００２４】
また本発明においては、該天井材は、粘弾性部材と不燃シート及び／又は防水シート及び／又は不燃性防水シートを接着剤により貼付することにより構成されることを特徴とする。
【００２５】
また本発明においては、該不燃シート及び／又は防水シート及び／又は不燃性防水シートは少なくとも柔軟性を有する材料であることを特徴とする。
【００２６】
また本発明においては、該不燃シート又は不燃性防水シートは、グラスウール、タキロン、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする。
【００２７】
また本発明においては、該天井板枠は、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、アルミ・ビニール及び薄肉のスチールを含む柔軟性を有する金属材料、金属を含む複合材料、のいずれかであることを特徴とする。
【００２８】
また本発明においては、該天井板枠は、粘弾性材質で作られていることを特徴とする。
【００２９】
また本発明においては、該天井板枠は、アルミ・ビニール及び薄肉のスチールを含む柔軟性を有する金属材料、及び金属を含む複合材料で作られていることを特徴とする。
【００３０】
また本発明においては、該天井板は、少なくとも下部の不燃シートと中央部の不燃天井材を接着剤により貼り付け、四方を天井板レール枠及び／又は天井板ジョイント枠を接着剤で固定し構成されたことを特徴とする。
【００３１】
また本発明においては、該不燃シートは、化粧不燃シートであることを特徴とする。
【００３２】
また本発明においては、該天井板は、下部の不燃シートと中央部の不燃天井材と上部の不燃防水シートを接着剤により貼り付け、四方を天井板レール枠と天井板ジョイント枠を接着剤で固定し構成されたことを特徴とする。
【００３３】
また本発明においては、該不燃シートは、化粧不燃シートであることを特徴とする。
【００３４】
また本発明においては、該下部の不燃シート及び／又は上部の不燃防水シートを接着剤により貼り付ける工程は該四方を天井板レール枠と天井板ジョイント枠を接着剤で固定する工程の前に行われ、該下部の不燃シート及び／又は上部の不燃防水シートの端部は該四方を天井板レール枠及び／又は天井板ジョイント枠に差し込まれていることを特徴とする。
【００３５】
また本発明においては、該下部の不燃シート及び／又は上部の不燃防水シートを接着剤により貼り付ける工程は該四方を天井板レール枠と天井板ジョイント枠を接着剤で固定する工程の後に行われ、該下部の不燃シート及び／又は上部の不燃防水シートの端部は該四方を天井板レール枠及び／又は天井板ジョイント枠表面まで覆っていることを特徴とする。
【００３６】
また本発明においては、該接着剤は、澱粉、酢酸ビニル、エチレン酢酸ビニル、水性エマルジョン樹脂、アクリルエマルジョン樹脂、変成シリコーン樹脂、シアノアクリレート樹脂、ウレタン樹脂、エポキシ樹脂、ゴム系溶剤形樹脂、のいずれかを用いたことを特徴とする。
【００３７】
また本発明においては、該天井板は、該野縁レールに差し込み取り付けられ移動することが可能であることを特徴とする。
【００３８】
このような構成とすることにより、本発明にかかる吸振つり天井に構成される不燃軽量粘弾性天井板部材は、外周部の壁面と中央部の固定範囲天井部分との間に設けた吸振範囲天井部分の前記不燃軽量粘弾性天井板部材を有し、柔軟性或いは粘弾性の天井板により天井全部および一部の地震時の振動や変位を吸収し抑制を図ることができる。
【００３９】
本発明において、前記吸振つり天井に構成される不燃軽量粘弾性天井板部材は、吊りボルトとナットにより直接野縁レールを強固に取り付け、天井下地骨組を簡素化にし、軽量粘弾性天井板を構成することにより、吊りボルトの吊り過重の負担を軽減し、軽量化し、地震時の振動や変位にも対応することができる。
【００４０】
このような構成とすることにより、本来の「つり天井及び石膏ボード」の崩壊落下の最も大きな原因である天井下地骨組の天井吊りボルトと野縁受けを繋ぐハンガーと野縁受けと野縁を結合するクリップの破損破壊外れが無くなり、本発明の強固に取り付けた野縁レールに、不燃軽量粘弾性天井板部材に取付けられた天井板レール枠を差し込み取り付けることで、天井板の地震時の振動や変位にも落下を防ぎ、主に粘弾性の天井板を用いることにより地震時の天井全部および一部の崩壊落下を防止し、人的被害を無くすことができ、軽量なので施工要領も簡素化が可能となり、経済的にも有利となる。
【００４１】
また、このような構成とすることにより、予測のつかない大地震時に不燃軽量粘弾性天井板部材が万が一激しい振動によって落下した際も、全体が柔軟あるいは粘弾性であり且つ軽量のため、人的被害を最小限にとどめることができる。さらに、万が一外周部の壁面の仕上げによる微調整が発生した場合は、外周部の吸振範囲天井部分の前記不燃軽量粘弾性天井板部材の原寸形状で現場施工となるが、一般的な天井工法における現場合わせに較べると非常に効率的な工事が可能となり、その経済的な効果は多大である。
【発明の効果】
【００４２】
本発明の吸振つり天井に構成される不燃軽量粘弾性天井板部材は、天井スラブ１に天井吊りボルト３を所定の箇所に固定し、通し野縁６と野縁レール下部部材５にナット１２によって直接強固に固定されているため、従来の「つり天井」の崩壊落下の最も大きな原因である天井下地骨組の天井吊りボルトと野縁受けを繋ぐハンガーと野縁受けと野縁を結合するクリップの破損破壊外れが無くなり、軽量粘弾性天井板７に取付けられた天井板レール枠８を差し込み取り付けることで、天井板の地震時の振動や変位にも落下を防ぎ、主に粘弾性の天井板を用いることにより地震時の天井全部および一部の崩壊落下を防止し、人的被害を無くすことができ、軽量なので施工要領も簡素化が可能となり、経済的にも有利となる。
【００４３】
本発明の吸振つり天井に構成される不燃軽量粘弾性天井板部材は、外周部の壁面２に天井板受けアングルを直接取り付け、第一吊りボルト３に野縁一連レール接合部材１１を所定の箇所に固定し外周部の吸振範囲部分４を形成し、野縁一連レール接合部材１１より中央部部分に固定範囲天井部分が形成され、柔軟性を有する主に粘弾性材質の下部に不燃化粧シート７ａと中央部に不燃材７ｂと上部の不燃防水シート７ｃを接着剤で貼り付け、四方に天井板レール枠８と天井板ジョイント枠９を固定し構成した天井板を差し込み取り付けることで、天井板の地震時の振動や変位にも落下を防ぎ、柔軟性を有する主に粘弾性の天井板よって、天井全部および一部の地震時の振動や変位を吸収し抑制を図ることができ、よって天井の崩壊落下を防ぐことができる。
【００４４】
本発明の不燃軽量粘弾性天井板部材は、柔軟性を有する主に粘弾性材質の下部に不燃化粧シート７ａと中央部に不燃材７ｂと上部の不燃防水シート７ｃを接着剤で貼り付け構成されるため、下部の不燃化粧シートの材質・柄・色等のデザインが多彩に演出できることが大きな特徴である。
【００４５】
本発明の不燃軽量粘弾性天井板部材の最大な特長は、工業内での生産となり、固定範囲天井部分の規格天井板は生産ストックができ経済的であり、下部の不燃化粧シートのスタンダードデザインはシート先行貼り枠後付けと生産効率を高めることが出来る。ただし、注文デザインシートについては後貼りとなりコーキング処理が必要となる。
【００４６】
本発明の不燃軽量粘弾性天井板部材を有する吸振つり天井の天井伏せ計画を事前に設計することにより、天井板を規格形状に成型ができ、照明や空調などの設備機器の配置も容易に計画ができ、迅速に施工することにより将来の品質向上や経済的価格にも貢献し、ＬＥＤ照明板等の新開発部材も取り付けも可能となり、天井板の色彩柄等の変化で今までに無い斬新な「つり天井」が実現できる。
【００４７】
本発明の吸振つり天井に構成される不燃軽量粘弾性天井板部材は、平成２６年４月１日に施行する建築基準法施行令（国土交通省告示７７１号）改正に定められている特定天井外の「その他の天井」に属し、天井脱落対策の対象となる天井と検証ルートが不要になり、そのため設計者による安全確保の判断のみで確認申請ができ大きな強みを有し、産業上のメリットは非常に大きいといえる。
【図面の簡単な説明】
【００４８】
【図１】吸振つり天井見上げ図例である。
【図２】ＡーＡ断面図である。
【図３】ＡーＡ側面図である。
【図４】ＢーＢ断面図である。
【図５】ＢーＢ側面図である。
【図６】吸振つり天井伏せ計画図例である。
【図７】吸振範囲天井部分である。
【図８】固定範囲天井部分である。
【図９】天井野縁見下げ図例である。
【図１０】ＣーＣ断面図である。
【図１１】ＤーＤ、ＥーＥ、ＦーＦ断面図である。
【図１２】不燃軽量粘弾性天井板部材の見上げ図例である。
【図１３】不燃軽量粘弾性天井板部材の断面図例である。
【図１４】不燃軽量粘弾性天井板部材の断面図例である。
【発明を実施するための形態】
【００４９】
以下、本発明の実施例につき、図面を参照して説明する。
【実施例】
【００５０】
図１乃至図１４は、本発明の一実施形態に係る吸振つり天井に構成される不燃軽量粘弾性天井板部材及びその吸振つり天井における使用状況を示す図である。
【００５１】
図１は、本実施の形態に係る吸振つり天井の見上げ図例で、天井スラブ１と壁面２に、つり部材と、野縁レールと、不燃軽量粘弾性天井板部材などを有している。ここで、本発明にかかる不燃軽量粘弾性天井板部材の天井材とシートと天井板枠と接着剤の材質については前記の通りである。
【００５２】
天井を吊る吊り部材の吊りボルト３は、ネジ山径約９．０mmのボルト使用し、天井スラブ１に天井伏せ計画図の所定の位置に取り付けられた天井インサートに固定され保持する。
【００５３】
吊りボルトは、所定の長さで吊られナット１２で通し野縁５と野縁レール下部部材５と野縁上部部材４を上下に挟んで強固に連結する。
【００５４】
吊りボルトの所定の長さは、野縁レールの下端にレベルを揃え、天井高さを基準に均一に取り付ける。
【００５５】
通し野縁５と野縁レール下部部材５と野縁上部部材４は、図４に示すように三つの野縁レール部材によって構成され、吊りボルト３を貫通しナット１２で上下に挟んで強固に連結されている。
【００５６】
通し野縁５と野縁レール下部部材５と野縁上部部材４に貫通した吊りボルト３は、所定の天井高さに調整されナット１２によって強固に連結されている。
【００５７】
吊りボルト３と通し野縁５と野縁レール下部部材５と野縁上部部材４で構成された天井下地骨組は図１０と図１１のように一片方向に図６の天井伏せ計画図例の所定の間隔で平行に取り付けられる。
【００５８】
吊りボルト３と通し野縁５と野縁レール下部部材５と野縁上部部材４で構成された天井下地骨組は、吸振つり天井伏せ計画図例（図６、図７、図８参照）の所定の範囲に、吸振範囲天井部分２０と固定範囲天井部分を形成する。
【００５９】
吸振つり天井伏せ計画図例（図６、図７、図８参照）で形成された吸振範囲天井部分２０に、下部に不燃化粧シート７ａと中央部に不燃材７ｂと上部の不燃防水シート７ｃを接着剤で貼り付け構成された天井板７を現状に合わせた寸法で成形加工し、天井板レール枠８と天井板ジョイント枠９を所定の位置に接着剤で固定して不燃軽量粘弾性天井板部材を構成する。
【００６０】
吸振範囲天井部分２０の現状に合わせた寸法で成形加工し、天井板レール枠８と天井板ジョイント枠９を所定の位置に接着剤で固定した天井板７を、野縁一連レール接合部材１１と天井板受けアングル１０に差し込み乗せる。
【００６１】
吸振範囲天井部分の天井板７の取り付け施工要領は片方の天井板レール枠８を野縁一連レール接合部材の所定の箇所（図１０、図１１参照）から差し込み、片方の天井板７を天井板受けアングル１０の上部に乗せ掛ける。
【００６２】
吸振範囲天井部分の天井板７及び天井板ジョイント枠９は、少なくとも柔軟性を有する部材を使用し、主に粘弾性材質の部材を使用するため、地震時の水平振動や変位を吸収し亀裂破壊がなく、耐震性に優れている。
【００６３】
吸振範囲天井部分は、外周部の壁面と吊りボルト３と通し野縁５と野縁レール下部部材５と野縁上部部材４で構成された吸振つり天井伏せ計画図例（図６、図８参照）の固定範囲天井部分との間に設けられ、吸振つり天井伏せ計画例で設けた所定の間隔（図６、図７、図１０、図１１参照）が吸振範囲天井部分を形成し、その範囲で水平方向の固定範囲天井部分の振動や変位を吸収する。
【００６４】
吸振つり天井伏せ計画図例（図６、図８参照）で形成された固定範囲天井部分１９の規格寸法天井板７は工場生産となり、現場で吊りボルト３と通し野縁５と野縁レール下部部材５と野縁上部部材４で構成された天井下地骨組に直接差し込み取り付けられる。
【００６５】
工場内で生産される固定範囲天井部分１９の規格寸法天井板７は、下部に不燃化粧シート７ａと中央部に不燃材７ｂと上部の不燃防水シート７ｃを接着剤で貼り付け構成され、少なくとも柔軟性を有する部材を使用し、主に粘弾性材質の部材を使用するため、変位に対応し亀裂破壊がなく、軽量である。
【００６６】
本発明にかかる吸振つり天井に構成される不燃軽量粘弾性天井板部材は、既設建築物または新設建築物に施工する「つり天井及び天井板」に係る構成であり、また仕上げ工法である。該吸振つり天井に構成される不燃軽量粘弾性天井板は、天井スラブに固定された吊りボルトに直接取り付けられた野縁レールと、前記野縁レールに差し込み取り付けられ、少なくとも柔軟性を有する材質で作られ、主に粘弾性の不燃天井材と不燃シートと四方に取付けられる天井板枠を有し、該吸振つり天井に構成される不燃軽量粘弾性天井板部材により地震時の振動や変位を吸収し抑制し、天井落下を阻止することを図ることを特徴とする。
【００６７】
図１４は本発明にかかる吸振つり天井に構成される不燃軽量粘弾性天井板部材における野縁レールに嵌合するＴ字型の形状を有する構成、主に粘弾性の不燃天井材と不燃シートと四方に取付けられる天井板枠の位置関係、及び吸振つり天井の構成における位置関係を示す。
【００６８】
このような構成とすることにより、本発明にかかる吸振つり天井に構成される不燃軽量粘弾性天井板部材は、外周部の壁面と中央部の固定範囲天井部分との間に設けた吸振範囲天井部分の前記不燃軽量粘弾性天井板部材を有し、柔軟性或いは粘弾性の天井板により天井全部および一部の地震時の振動や変位を吸収し抑制を図ることができる。
【００６９】
本発明において、前記吸振つり天井に構成される不燃軽量粘弾性天井板部材は、吊りボルトとナットにより直接野縁レールを強固に取り付け、天井下地骨組を簡素化にし、軽量粘弾性天井板を構成することにより、吊りボルトの吊り過重の負担を軽減し、軽量化し、地震時の振動や変位にも対応することができる。
【００７０】
このような構成とすることにより、本来の「つり天井及び石膏ボード」の崩壊落下の最も大きな原因である天井下地骨組の天井吊りボルトと野縁受けを繋ぐハンガーと野縁受けと野縁を結合するクリップの破損破壊外れが無くなり、本発明の強固に取り付けた野縁レールに、不燃軽量粘弾性天井板部材に取付けられた天井板レール枠を差し込み取り付けることで、天井板の地震時の振動や変位にも落下を防ぎ、主に粘弾性の天井板を用いることにより地震時の天井全部および一部の崩壊落下を防止し、人的被害を無くすことができ、軽量なので施工要領も簡素化が可能となり、経済的にも有利となる。
【００７１】
また、このような構成とすることにより、予測のつかない大地震時に不燃軽量粘弾性天井板部材が万が一激しい振動によって落下した際も、全体が柔軟あるいは粘弾性であり且つ軽量のため、人的被害を最小限にとどめることができる。
【００７２】
また本発明においては、該中央部の固定範囲天井部分における該不燃軽量粘弾性天井板部材の周縁部に設けられた該野縁レールに嵌合する構成を有する該天井板枠は、方形或いは矩形の該不燃軽量粘弾性天井板部材の周縁部である四辺に設けられ、その四辺のうち平行する２辺に、該野縁レールに嵌合する構成を有する。
【００７３】
また本発明においては、該吸振範囲天井部分における該不燃軽量粘弾性天井板部材の周縁部に設けられた該野縁レールに嵌合する構成を有する該天井板枠は、方形或いは矩形の該不燃軽量粘弾性天井板部材の周縁部である四辺に設けられ、その四辺のうち１辺に、該野縁レールに嵌合する構成を有する。
【００７４】
また本発明においては、該野縁レールに嵌合する構成は、該不燃軽量粘弾性天井板の上方に構成されてＴ字型の形状を有し、かかる部分が該野縁レールに嵌合する。
【００７５】
本発明によれば、外周部の壁面と中央部の固定範囲天井部分との間に設けた吸振範囲天井部分の前記不燃軽量粘弾性天井板部材により、地震時の振動や変位を吸収し抑制を図らせることができる。
【００７６】
前記不燃軽量粘弾性天井板部材は、吊りボルトとナットによって直接強固に取り付けた野縁レールに、天井板に取付けられた天井板レール枠を差し込み取付けるため、地震時の振動や変位にも落下を防ぎ、主に粘弾性の天井板を用いることにより、地震時の天井の崩壊落下を防止し、人的被害を無くすことができる。
【００７７】
また本発明においては、該不燃軽量粘弾性天井板部材は少なくとも柔軟性を有し、不燃性の材料であり、さらには粘弾性材質で作られていることが望ましい。
【００７８】
ここで、該天井材は、グラスウール、タキロン、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかが好適に用いられる。
【００７９】
なお、本実施例に於いては該天井材として不燃且つ粘弾性を有する圧縮グラスウール材料を用いたが、本発明はこれに限定されることはなく、前記の各材料を好適に用いることが出来る。
【００８０】
また本発明においては、該不燃軽量粘弾性天井板部材に用いる天井材は、粘弾性部材と不燃シート及び／又は防水シート及び／又は不燃性防水シートにより構成される。
【００８１】
また本発明においては、該天井材は、粘弾性部材と不燃シート及び／又は防水シート及び／又は不燃性防水シートを接着剤により貼付することにより構成される。
【００８２】
また本発明においては、該不燃シート及び／又は防水シート及び／又は不燃性防水シートは少なくとも柔軟性を有する材料を用いる。
【００８３】
また本発明においては、該不燃シート又は不燃性防水シートは、グラスウール、タキロン、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかが好適に用いられる。
【００８４】
また本発明においては、該天井板枠は、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、アルミ・ビニール及び薄肉のスチールを含む柔軟性を有する金属材料、金属を含む複合材料、のいずれかが好適に用いられる。
【００８５】
また本発明においては、該天井板枠は、粘弾性材質が好適に用いられる。
【００８６】
また本発明においては、該天井板枠は、アルミ・ビニール及び薄肉のスチールを含む柔軟性を有する金属材料、及び金属を含む複合材料が好適に用いられる。
【００８７】
ここで、本実施例に於いては該該不燃シートとして不燃壁紙を、該天井板枠材料としてアルミ材料を用いたが、本発明はこれに限定されることはなく、前記の各材料を好適に用いることが出来る。
【００８８】
また本発明においては、該天井板は、少なくとも下部の不燃シートと中央部の不燃天井材を接着剤により貼り付け、四方を天井板レール枠及び／又は天井板ジョイント枠を接着剤で固定し構成される。
【００８９】
また本発明においては、該不燃シートは、化粧不燃シートを好適に用いることが出来る。
【００９０】
また本発明においては、該天井板は、下部の不燃シートと中央部の不燃天井材と上部の不燃防水シートを接着剤により貼り付け、四方を天井板レール枠と天井板ジョイント枠を接着剤で固定し構成される。
【００９１】
また本発明においては、該防水シートは、各種の防水シートを好適に用いることが出来る。
【００９２】
また本発明においては、該下部の不燃シート及び／又は上部の不燃防水シートを接着剤により貼り付ける工程は該四方を天井板レール枠と天井板ジョイント枠を接着剤で固定する工程の前に行われ、該下部の不燃シート及び／又は上部の不燃防水シートの端部は該四方を天井板レール枠及び／又は天井板ジョイント枠に差し込まれている構成とすることが出来る。
【００９３】
また本発明においては、該下部の不燃シート及び／又は上部の不燃防水シートを接着剤により貼り付ける工程は該四方を天井板レール枠と天井板ジョイント枠を接着剤で固定する工程の後に行われ、該下部の不燃シート及び／又は上部の不燃防水シートの端部は該四方を天井板レール枠及び／又は天井板ジョイント枠表面まで覆っている構成とすることが出来る。
【００９４】
また本発明においては、該接着剤は、澱粉、酢酸ビニル、エチレン酢酸ビニル、水性エマルジョン樹脂、アクリルエマルジョン樹脂、変成シリコーン樹脂、シアノアクリレート樹脂、ウレタン樹脂、エポキシ樹脂、ゴム系溶剤形樹脂、のいずれかを好適に用いることが出来る。
【００９５】
また本発明においては、該天井板は、該野縁レールに差し込み取り付けられ移動することが可能である構成とすることが出来る。
【００９６】
不燃軽量粘弾性天井板部材は、柔軟性を有する主に粘弾性材質の下部に不燃化粧シート７ａと中央部に不燃材７ｂと上部の不燃防水シート７ｃを接着剤で貼り付け構成されるため、下部の不燃化粧シートの材質・柄・色等のデザインが多彩に演出できることが大きな特徴である。
【００９７】
不燃軽量粘弾性天井板部材の最大な特長は、工業内での生産となり、固定範囲天井部分の規格天井板は生産ストックができ経済的であり、下部の不燃化粧シートのスタンダードデザインはシート先行貼り枠後付けと生産効率を高め、注文デザインシート後貼りとなりコーキング処理が必要となる。
【００９８】
不燃軽量粘弾性天井板部材を有する吸振つり天井の天井伏せ計画を事前に設計することにより、天井板を規格形状に成型ができ、照明や空調などの設備機器の配置も容易に計画ができ、迅速に施工することにより将来の品質向上や経済的価格にも貢献し、ＬＥＤ照明板等の新開発も取り付けも可能となり、天井板の色彩柄等の変化で今までに無い斬新な「つり天井及び天井板」が実現できる。
【産業上の利用可能性】
【００９９】
在来の「つり天井及び石膏ボード」の地震時の崩壊防止策の対応施工要領には、国土交通省が２００１年に技術指針で作成した、第一に壁とつり天井の間に隙間を設け、横揺れでの損傷を防ぐ、第二につり天井の揺れを抑えるために下地骨組を補強材でつなぐ、といった耐震補強重視の対策案であるが、前記の崩壊防止施工方法では、工事が大規模になり、経済的に負担が大きくなるため、各自治体の施設の対応が遅れているのが現状である。
【０１００】
本発明の吸振つり天井に構成される不燃軽量粘弾性天井板部材は、従来の「つり天井及び石膏ボード」の概念を捨て、今までとは異なるつり天井及び天井板の開発により、前記の国土交通省の技術指針耐震補強工事が省かれ、極端に工期短縮が出来、施工要領の簡易性で安全性も高くなり、コスト面でも前記の国土交通省のつり天井に関する技術指針施工よりも減額が見込まれるなど、数多くの問題解決となり国土交通省の新しい制度の対処法として、また民間商業施設等の崩壊危険予知の対策として産業需要が期待できる。
【０１０１】
近年日本では２００５年８月１６日発生した宮城沖地震以降断続して起きた地震と、２０１１年３月１１日に発生した東日本大震災により、既設建築物の天井の危険予知崩壊防止策の済んでいない施設が数多くあり、新築建築物の計画においても耐震用天井は必然の考慮であり、今後の「つり天井及び天井板」の工法として本発明の吸振つり天井に構成される不燃軽量粘弾性天井板は、産業上の利用可能性は多大である。
【０１０２】
現在、不燃軽量粘弾性天井板部材を有する吸振つり天井は、平成２６年４月１日に施行する建築基準法施行令（国土交通省告示７７１号）改正に定められている特定天井外の「その他の天井」に属し、天井脱落対策の対象となる天井と検証ルートが不要になり、そのため設計者による安全確保の判断のみで確認申請ができ大きな強みを持っている。
【０１０３】
新建築基準法は、天井の脱落防止措置を規定し、特定天井の構造は、構造耐力上安全なものとして国土交通大臣が定めた構造方法を用いなければならない。
【０１０４】
本発明の不燃軽量粘弾性天井板部材を有する吸振つり天井は、これからの日本のシステム天井産業上、利用可能性は十分に見込まれ、国内・海外でも市場があり、天井産業界の発展に貢献し、ひいては我が国の産業振興及び国際競争力の向上に資するものである。
【符号の説明】
【０１０５】
１      天井スラブ
２      壁面
３      吊りボルト
４      野縁レール上部部材
５      野縁レール下部部材
６      通し野縁
７      天井板
８      天井板レール枠
９      天井板ジョイント枠
１０    天井板受けアングル
１１    野縁一連レール接合部材
１２    ナット
１３    接合用ネジ
１４    接合用ナット
１５    空調機器
１６    照明器具
１７    照明器具取付用部材
１８    照明器具用野縁
１９    固定範囲天井部分
２０    吸振範囲天井部分
【図１】
2015200152.tif 000003
【図２】
2015200152.tif 000004
【図３】
2015200152.tif 000005
【図４】
2015200152.tif 000006
【図５】
2015200152.tif 000007
【図６】
2015200152.tif 000008
【図７】
2015200152.tif 000009
【図８】
2015200152.tif 000010
【図９】
2015200152.tif 000011
【図１０】
2015200152.tif 000012
【図１１】
2015200152.tif 000013
【図１２】
2015200152.tif 000014
【図１３】
2015200152.tif 000015
【図１４】
2015200152.tif 000016